(57)【要約】  文字通貨プラットホームシステムが開示される。このシステムは使用者から登録要請された文字を新規登録する文字登録部と、登録文字に対する暗号通貨を発行する文字通貨発行部と、登録文字を公示する文字公示部と、公示文字を支持する他使用者を支持者として登録する支持者登録部と、支持者別支持文字を知らせるための文字活動をチェックする支持者活動チェック部と、支持者別文字活動によって該当文字通貨を支給する文字通貨支給部とを含む。
2021515303.tif 000002
【特許請求の範囲】
【請求項１】
使用者から登録要請された文字を新規登録する文字登録部と、
登録文字に対する暗号通貨を発行する文字通貨発行部と、
登録文字を公示する文字公示部と、
公示文字を支持する他使用者を支持者として登録する支持者登録部と、
支持者別に支持文字を知らせるための文字活動をチェックする支持者活動チェック部と、
支持者別文字活動によって該当文字通貨を支給する文字通貨支給部と、を含む文字通貨プラットホームシステム。
【請求項２】
文字通貨発行部は登録文字に対する認知度を考慮して通貨発行量を決め、決められた発行量だけ暗号通貨を発行する、請求項１に記載の文字通貨プラットホームシステム。
【請求項３】
文字通貨発行部は所定の検索エンジンでの新規登録文字に対する検索結果数で認知度を把握する、請求項２に記載の文字通貨プラットホームシステム。
【請求項４】
支持者活動チェック部は支持者別通信端末に設置されて、支持者の文字活動をモニタリングするアプリケーションと連動して、該当支持者の文字活動をチェックする、請求項１〜３の何れか一項に記載の文字通貨プラットホームシステム。
【請求項５】
文字活動はソーシャルメディア上での文字記録またはメッセンジャーを利用した文字伝達である、請求項４に記載の文字通貨プラットホームシステム。
【発明の詳細な説明】
【技術分野】
【０００１】
本発明は暗号通貨に関するもので、特に、暗号通貨の発行及び支給に関するものである。
【背景技術】
【０００２】
仮想通貨とはデジタル通貨の一種で、開発者が発行及び管理して特定の仮想コミュニティーで、或いは現実世界でも通用することができる決済手段を言う。大部分の暗号通貨はデジタル通貨でありながら仮想通貨である。代表的な仮想通貨としてはビットコインがよく知られており、ビットコインの取り引きのために用いられるセキュリティー技術であるブロックチェーンもよく知られている。そしてブロックチェーンに保存された取り引き記録が正しいかどうかを確認した後取り引きを承認する役割を果たす人をマイナーと言うが、計算パワーと電気を消耗するマイナーの参加を督励するために、ビットコインシステムはマイナーに新たに作られたビットコインを支給することで償う。しかしながらビットコインのような仮想通貨を採掘するためには計算パワーが非常にたくさん消耗するため、電力の無駄使いという問題点が台頭されている。また、相当な量の計算資源とおびただしい電力消費によって一般人の立場では事実上仮想通貨を採掘することが不可能である。
【先行技術文献】
【特許文献】
【０００３】
【特許文献１】韓国登録特許第１０−１８２７３７３号公報（２０１８年２月８日公告）
【発明の概要】
【発明が解決しようとする課題】
【０００４】
相当量の計算資源とおびただしい電力消費問題を解消することができる新型仮想通貨発行及び支給サービスを達するための技術的方案が開示される。
【課題を解決するための手段】
【０００５】
一様相による文字通貨プラットホームシステムは、使用者から登録要請された文字を新規登録する文字登録部と、登録文字に対する暗号通貨を発行する文字通貨発行部と、登録文字を公示する文字公示部と、公示文字を支持する他使用者を支持者として登録する支持者登録部と、支持者別支持文字を知らせるための文字活動をチェックする支持者活動チェック部と、支持者別文字活動によって該文字通貨を支給する文字通貨支給部とを含むことができる。
【０００６】
文字通貨発行部は登録文字に対する認知度を考慮して通貨の発行量を決め、決められた発行量だけ暗号通貨を発行することができる。
【０００７】
文字通貨発行部は所定の検索エンジンでの新規登録文字に対する検索結果数で認知度を把握することができる。
【０００８】
支持者活動チェック部は支持者別通信端末に設置されて、支持者の文字活動をモニタリングするアプリケーションと連動して、該支持者の文字活動をチェックすることができる。そして、文字活動はソーシャルメディア上での文字記録またはメッセンジャーを利用した文字伝達であることができる。
【発明の効果】
【０００９】
開示されたシステムは、文字に基づくデジタル通貨発行及び支給サービスを提供するが、それによれば、従来のような相当量の計算資源と電力消費問題が解消されるという効果を奏する。
【図面の簡単な説明】
【００１０】
【図１】一実施例による文字通貨プラットホームシステムのブロック図である。
【図２】一実施例による文字通貨サーバーのブロック図である。
【図３】一実施例による通信端末のブロック図である。
【図４】一実施例による文字通貨サービス提供方法の流れ図である。
【発明を実施するための形態】
【００１１】
前述した、そして追加的な本発明の様相は添付された図面を参照して説明される好ましい実施例を通じてより明確になり得る。以下では本発明をこのような実施例を通じて当業者が容易に理解して再現することができるように詳しく説明する。
【００１２】
図１は一実施例による文字通貨プラットホームシステムのブロック図である。図１に示したように、文字通貨プラットホームシステムは、複数の通信端末１００及び文字通貨サーバー２００を含む。通信端末１００と文字通貨サーバー２００は通信ネットワークを通じてデータ通信をすることができ、通信ネットワークは一つまたは複数の異種ネットワークで構成されることができる。通信端末１００は文字通貨サーバー２００が提供する文字通貨サービスを利用するために使用者が用いる通信可能な計算機器である。通信端末１００としてはスマートフォンやスマートパッドなどを例に挙げることができる。このような通信端末１００にはプラットホームサービスを利用するのに必要なアプリケーションである文字通貨アプリ３００が設置されて実行されることができる。
【００１３】
文字通貨アプリ３００は文字通貨サーバー２００と連動して使用者に文字通貨に関する多様なサービスを提供することができ、通信端末１００を通じた使用者の特定活動をモニタリングすることもできる。または文字通貨アプリ３００は会員の特定活動をモニタリングする機能のみを有することもできる。文字通貨サーバー２００はオンラインプラットホームを提供するサーバーであって、ＧＵＩサーバー、アプリケーションサーバー、データベース及びトランザクションサーバーなどを含んで構成されるサーバーシステムであってもよい。一様相による文字通貨サーバー２００は文字に基づいて文字通貨という新型デジタル通貨を発行し、使用者の所定活動によって文字通貨を支給するプロセスを実行する。このような文字通貨サーバー２００は会員に基づいて文字通貨の発行及び支給サービスを提供することができる。
【００１４】
一方、文字通貨プラットホームシステムが、図１に示した全ての構成を必ずしも含まなければならないのではなく、一部のみを含むこともできる。例えば、文字通貨プラットホームシステムは、図１に示した構成の中で文字通貨サーバー２００と一つ以上の文字通貨アプリ３００のみを含む。他の例で、文字通貨プラットホームシステムは文字通貨サーバー２００のみを意味する。
【００１５】
図２は一実施例による文字通貨サーバーのブロック図である。図２に示したように、文字通貨サーバー２００はネットワーク通信部２１０とデータベース２２０及び制御部２３０を含むことができる。ネットワーク通信部２１０は通信ネットワークを通じて複数の通信端末１００と通信するための通信モジュールである。データベース２２０は文字通貨データベース２２１と支持者データベース２２２を含む。文字通貨データベース２２１には文字通貨を発行するための新規文字が登録され、また登録された文字別に発行された文字通貨及びそれに関するデータが保存されることができる。支持者データベース２２２には登録文字を支持する使用者が支持者として登録された支持者リストが保存される。支持者リストは登録文字別に生成されることができる。制御部２３０はハードウェア及びソフトウェアの組合で構成されることができる。ハードウェアには一つ以上のプロセッサとメモリーなどが含まれることができ、ソフトウェアには運営体制が含まれることができる。
【００１６】
制御部２３０は文字登録部２３１と、文字公示部２３３と、文字通貨発行部２３２と、支持者登録部２３４と、支持者活動チェック部２３５と、文字通貨支給部２３６とを含むことができる。これらは何れもソフトウェア的に具現されることができる構成で、一つ以上のプロセッサによって実行されて駆動されることができる。文字登録部２３１は通信端末１００から使用者が登録要請しようとする文字を受信する。文字は単語であってもよく、「コカコーラ」や「景福宮」などを例に挙げることができる。文字登録部２３１は受信された文字の重複有無をチェックするが、受信された文字が文字通貨データベース２２１に既に登録されている文字であるかを確認する方式で重複有無をチェックすることができる。チェックの結果、重複でなければ、文字登録部２３１は登録要請された文字を文字通貨データベース２２１に新規登録する。
【００１７】
文字通貨発行部２３２は新規登録された文字に対する暗号通貨である文字通貨を生成して新規発行する。この時、文字通貨は登録文字を暗号化したデジタル通貨または文字を識別することができる他のデータを暗号化したデジタル通貨であってもよく、暗号化方式自体は特に制限されない。そして発行された文字通貨及びそれに関するデータは文字通貨データベース２２１に保存されることができる。一実施例において、文字通貨発行部２３２は使用者によって要請された発行量だけ文字通貨を発行する。他の実施例において、文字通貨発行部２３２は文字の認知度を考慮して発行量を決めた後、その決められた発行量だけ文字通貨を発行する。この時、文字認知度は所定の検索エンジンでの登録文字に対する検索を通じて把握されることができる。一例として、文字通貨発行部２３２は所定期間の間に登録文字に対する検索回数を発行量として決める。他の例として、文字通貨発行部２３２は所定期間の間に登録文字に対する検索回数に比例して発行量を決める。そして所定の検索エンジンはグーグルを例に挙げることができる。
【００１８】
文字公示部２３３は新規登録された文字或いは新たに発行された文字通貨の文字を公示する。一実施例において、文字公示部２３３は文字をオンラインプラットホーム上に公示して他使用者に通知して新規登録文字を確認することができるようにする。付衍すれば、文字公示部２３３は公示文字があることを他使用者それぞれの通信端末１００または文字通貨アプリ３００に通知して他使用者がオンラインプラットホームに接続して登録文字を確認することができるようにする。他の実施例において、文字公示部２３３は文字を他使用者の文字通貨アプリ３００に直接伝達する方式で他使用者に該当文字を公示することができる。
【００１９】
支持者登録部２３４は他使用者の中で公示文字を支持する者を支持者として登録する。一実施例において、支持者登録部２３４は文字通貨アプリ３００から他使用者の支持者登録要請を受けて、その登録要請によって支持者リストに登録する。支持者活動チェック部２３５は支持者別に支持する文字を知らせるための文字活動有無をチェックする。例えば、支持文字が「コカコーラ」である場合、支持者が「コカコーラ」を他人に知らせる活動をしたのかをチェックする。一実施例において、支持者活動チェック部２３５は支持者の文字通貨アプリ３００と連動して文字活動有無をチェックする。ここで、文字活動はソーシャルメディア上での文字記録またはメッセンジャーを利用した文字伝達であってもよい。
【００２０】
文字通貨支給部２３６は支持者別文字活動によって該当文字通貨を該当支持者の仮想通貨口座に支給することができる。一実施例において、文字通貨支給部２３６は活動内容または活動回数によって決まった量の文字通貨を支給する。他の実施例において、文字通貨支給部２３６は活動内容別活動回数によって決まった量の文字通貨を支給する。活動内容としては上述したソーシャルメディア上での文字記録またはメッセンジャーを利用した文字伝達などを例に挙げることができる。
【００２１】
一方、上述した文字通貨発行部２３２は登録文字に対して２つ以上互いに異なる言語別に文字通貨を生成することもできる。例えば、登録文字が韓国語である場合、韓国語文字通貨と英語文字通貨など互いに異なる言語別に文字通貨を生成して発行することができる。この時、発行量は言語別に相違するように決めることができるが、使用者によって指定されるか文字の言語別認知度を考慮して発行量を決めることもできる。そして文字の言語別認知度は所定の検索エンジンでの登録文字の言語別検索を通じて把握することができる。
【００２２】
図３は一実施例による通信端末のブロック図である。図３に示したように、通信端末は端末資源部１１０と文字通貨アプリ３００を含む。端末資源部１１０はハードウェア資源部１１１とソフトウェア資源部１１２を含む。ハードウェア資源部１１１は通信端末１００のプロセッサ、メモリー、通信モジュールなどのハードウェア資源を含む構成であり、ソフトウェア資源部１１２は通信端末１００の運営体制、ソーシャルメディア用アプリなどのソフトウェア資源を含む構成である。このような端末資源部１１０の少なくとも一部資源は文字通貨アプリ３００によってアクセス可能である。
【００２３】
文字通貨アプリ３００は通信端末１００に設置及び実行されて文字通貨サーバー２００と連動するアプリケーションで、使用者に文字通貨プラットホームサービスを提供することができる。図２に示したように、文字通貨アプリ３００は活動モニタリング部３１０と活動報告部３２０を含むことができる。活動モニタリング部３１０は使用者が支持する文字に対する所定の文字活動をモニタリングする機能を果たす。一実施例において、文字通貨アプリ３００は使用者がツイッターやフェイスブックまたはインスタグラムなどのようなソーシャルメディアのためのアプリケーション（ソーシャルメディア用アプリ）を利用して自分が支持する文字をソーシャルメディア上に記録するか、カカオトークやラインなどのようなメッセンジャーアプリを利用して自分が支持する文字を他人に伝達する活動をモニタリングすることができる。このようなモニタリングのために、活動モニタリング部３１０は端末資源部１１０の少なくとも一部資源にアクセスすることができる。活動報告部３２０は活動モニタリング部３１０によってモニタリングされた使用者の文字活動を文字通貨サーバー２００に報告する。そこで、文字通貨サーバー２００の支持者活動チェック部２３５は文字通貨アプリ３００から文字活動に対する報告を受けるようになり、その報告された内容によって使用者の文字活動をチェックする。
【００２４】
図４は一実施例による文字通貨サービス提供方法の流れ図である。図４で第１使用者端末１０１は文字登録を要請する使用者（第１使用者）の通信端末を意味し、第２使用者端末１０２は他使用者（第２使用者）の通信端末を意味する。そして、図４に示した第１使用者端末１０１の動作は第１使用者端末１０１の文字通貨アプリが実行することであることができ、第２使用者端末１０２の動作は第２使用者端末１０２の文字通貨アプリが実行することであることができる。まず、第１使用者端末１０１は第１使用者が指定した文字を文字通貨サーバー２００に登録要請する（Ｓ１００）。そして、文字通貨サーバー２００は登録要請された文字を新規文字として登録する（Ｓ１５０）。この時、文字通貨サーバー２００は登録要請された文字の重複有無をチェックし、チェック結果、既登録されていないことと確認された場合に限って新規文字として登録することができる。
【００２５】
文字通貨サーバー２００は新規登録された文字に対する文字通貨を発行する（Ｓ２００）。この時、文字通貨サーバー２００は発行量を決める過程を行う。発行量は第１使用者が要請した量に決めることができ、該文字の認知度を考慮して決めることができる。その次、文字通貨サーバー２００は新規登録文字を第２使用者に公示する（Ｓ２５０）。例えば、文字通貨サーバー２００は新規登録された文字を第２使用者端末１０２に知らせる。それにより、第２使用者は新規登録された文字を確認することができる。第２使用者端末１０２のそれぞれは第２使用者の要請によって新規登録された文字に対する支持者登録を文字通貨サーバー２００に要請する（Ｓ３００）。それにより、文字通貨サーバー２００は支持者を登録し、支持者が登録されたことを第２使用者端末１０２に知らせる（Ｓ３５０）（Ｓ４００）。その後、第２使用者端末１０２は第２使用者の文字活動をモニタリングし、モニタリングを通じて文字活動が確認されると文字通貨サーバー２００に報告する（Ｓ４５０）（Ｓ５００）。
【００２６】
文字通貨サーバー２００は第２使用者端末１０２別に文字活動報告によって該第２使用者の文字活動をチェックし、チェックされた結果によって該第２使用者に文字通貨を支給する（Ｓ５５０）（Ｓ６００）。この時、文字通貨は第２使用者が仮想通貨を保有するために開設した電子財布に支給されることができる。文字通貨が支給されると、文字通貨サーバー２００は第２使用者端末１０２別に支給を知らせる（Ｓ６５０）。一方、上述した過程で文字公示（Ｓ２５０）は文字通貨発行（Ｓ２００）と同時に行われることもでき、その先後が反対であってもよい。
【００２７】
以上、本発明についてその好ましい実施例を中心として説明した。本発明が属する技術分野において通常の知識を有する者は本発明の本質的な特性から逸脱しない範囲で変形された形態に具現されることができることを理解すべきである。従って、開示された実施例は限定的な観点ではなく説明的な観点で考慮すべきである。本発明の範囲は前述した説明ではなく、特許請求範囲によって定義され、それと同等な範囲内における全ての差異は本発明に含まれるものと解釈すべきである。
【符号の説明】
【００２８】
１００：通信端末、１１０：端末資源部、１１１：ハードウェア資源部、１１２：ソフトウェア資源部、２００：文字通貨サーバー、２１０：ネットワーク通信部、２２０：データベース、２２１：文字通貨データベース、２２２：支持者データベース、２３０：制御部、２３１：文字登録部、２３２：文字通貨発行部、２３３：文字公示部、２３４：支持者登録部、２３５：支持者活動チェック部、２３６：文字通貨発行部、３００：文字通貨アプリ、３１０：活動モニタリング部、３２０：活動報告部
【図１】
2021515303.tif 000003
【図２】
2021515303.tif 000004
【図３】
2021515303.tif 000005
【図４】
2021515303.tif 000006
【国際調査報告】
2021515303.tif 000007
2021515303.tif 000008
2021515303.tif 000009
2021515303.tif 000010